(57)【要約】【課題】  平面的なデザイン処理でありながら熱の排気性能に優れた外装構造を備えた情報処理装置を提供する。【解決手段】  実質的に直方体からなる筐体を備えた情報処理装置であって、複数の開口孔をパンチング状に形成した電磁シールド板３０と、通風部２１を備え、かつ電磁シールド板３０を覆う扉本体４０とを含んで構成される開閉扉２０を筐体１０の一側面に開閉可能に備え、扉本体４０は、その前面に基本造形部５０を上下左右にマトリックス状に連続して配列した平滑面４４を備え、基本造形部５０は、周囲を４辺５１で囲む領域５２内に、この４辺５１と前後方向の段差Ｐ１をもって形成される１つの頂点部５３を備えるとともに、頂点部５３から４辺５１の中央位置Ｑとを結んで区分けされる４つの区分領域５２ａ〜５２ｄを備え、通風部２１は、電磁シールド板３０を露出するように、区分領域５２ａ〜５２ｄの１つまたは、区分領域を連続させた領域で形成される複数の開口部４３で構成する。【選択図】  図１
2010231683.tif 000002
【特許請求の範囲】
【請求項１】
実質的に直方体からなる筐体を備えた情報処理装置であって、
複数の開口孔をパンチング状に備えた金属材料で形成される電磁シールド板と、通風部を備え、かつ、前記電磁シールド板を覆うように形成される扉本体とを含んで構成される開閉扉を前記筐体の一側面に開閉可能に備え、
前記扉本体は、その前面に、矩形状の基本造形部を上下左右にマトリックス状に連続して配列した平滑面を備え、
前記基本造形部は、周囲を４辺で囲む領域内に、この４辺と前後方向の段差をもって形成される１つの頂点部を備えるとともに、この頂点部から前記４辺の中央位置とを結んで区分けされる４つの区分領域を備え、
前記通風部は、前記電磁シールド板を露出するように、前記区分領域の１つまたは、前記区分領域を連続させた領域で形成される複数の開口部で構成される
ことを特徴とする情報処理装置。
【請求項２】
前記請求項１記載の情報処理装置において、
前記４辺の中央位置と前記頂点部は同じ前後方向に段差を持って形成され、前記頂点部の段差は前記４辺の中央位置の段差より大きい
ことを特徴とする情報処理装置。
【請求項３】
前記請求項１または２記載の情報処理装置において、
前記頂点部は、前記基本造形部の中心位置から前方に張り出して設けられている
ことを特徴とする情報処理装置。
【請求項４】
前記請求項１から３記載のいずれかの情報処理装置において、
前記区分領域は、曲面で形成される
ことを特徴とする情報処理装置。
【発明の詳細な説明】
【技術分野】
【０００１】
本発明は、コンピュータ等の電子機器、通信機器等の情報処理装置に係り、特に、機器を箱型の筐体に内蔵し、その筐体開口部に通気部を備えた扉を配置した情報処理装置に関するものである。
【背景技術】
【０００２】
近年のネット社会では、ネットワークの各拠点を構成するホストコンピュータやサーバ装置が非常に重要な情報処理装置となっている。これら情報処理装置は、近年の高密度技術により、複数の大きな筺体をロッカーのように連続設置したものから、小型化され、縦型の単独の筺体として、あるいは少数を組み合わせた筺体となっている。
【０００３】
これら筺体は、その内部が複数の棚により分割され、各棚に交換可能な制御基板や記憶装置を設置するラックマウントと呼ばれる構造となっている。これら筺体内に凝縮して設置される構造では、内部で発生する熱を排気することが重要となっており、その筺体の前面や上面などには排気用の開口部が設けられている。また、一方で、情報漏えいが問題視される現在では、内部の制御基板や記憶装置を簡単に取り外せないようにするために、筺体の前面には、施錠可能な扉が取り付けられている。
【０００４】
また、これらの情報処理装置は、小型化されたことにより、一般オフィスに設置されるケースも増え、更に、その内部に高密度な装置が実装された高価な装置であることから、オフィス環境に対応可能なデザインへの要望が強くなっている。
【０００５】
このような、状況を踏まえて、これら情報処理装置では、多様なデザインを備えたものが提案されている。
【０００６】
例えば、出願人が実施化した従来例の情報処理装置は、複数の突状の縦桟を等間隔に配置したものや、矩形状のブロックを上下左右にマトリックス状に配置したものがある。また、近年では、縦型筺体の前面を構成する開閉蓋を左右に３分割し、その中央部分を飾り面とし、左右をフラット面としたものを提案している。この飾り面はマトリックス状に９分割された凹凸模様のブロックを上下左右に配置することで、装飾性に富んだ独自性のあるデザインとしている。
【先行技術文献】
【特許文献】
【０００７】
【特許文献１】意匠登録第１３２２１１６号の意匠公報
【特許文献２】意匠登録第１３３７２３０号の意匠公報
【特許文献３】特開平６―９５７５９号公報
【特許文献４】特開平７―２６１８７２号公報
【特許文献５】特開平９―３４５８７号公報
【特許文献６】特開平１１―３２７６８２号公報
【発明の概要】
【発明が解決しようとする課題】
【０００８】
この種の情報処理装置は、外部からの磁場の影響を防ぐために、筐体全体を金属材料で覆う構造としている。このため、排気用の開口部を備えた扉構造では、開口率が５０％前後の金属製のパンチンング板材と、このパンチンング板材を覆う樹脂製の化粧部材とから構成している。
【０００９】
前記したように、近年の高密度化された電子基板や記憶装置を内蔵する情報処理装置では、内部で発生する熱も多くなり、これを排気する課題が大きくなっている。排気効率を高くするためには、当然のように、大きな開口率を備えた通気口（吸気口）が必要である。この通気口を正面の扉に設けると、その外装デザインが大きな課題となってくる。
【００１０】
従来の扉に吸気口を備えた従来技術では、吸気口を凹凸のあるグリル形状としたものがあるが、これらは、オフィス環境に馴染めないばかりか、奥行き寸法が大きくなる課題がある。そこで、オフィス環境に馴染ませるために、扉面を一様な平坦面とするパネルに多様な模様の開口孔を形成したものが提案されている。しかし、この一様な平坦面に複数の開口孔を形成する処理では、平面パネルの強度を維持したまま、吸気口の開口率を上げることには限度がある。加えて、この種の情報処理装置では、寸法の異なる製品へのシリーズ展開を図ることが必要なことから、ある程度の規則性を持ったデザイン処理が必要である。この点、前記従来の情報処理装置の扉構造では課題を備えていた。
【００１１】
そこで、この発明に係る情報処理装置の目的とするところは、平面的なデザイン処理でありながら熱の排気性能に優れた外装構造を備えた情報処理装置を提供することにある。
【課題を解決するための手段】
【００１２】
前記目的を達成するために、本発明に係る情報処理装置は、実質的に直方体からなる筐体を備えた情報処理装置であって、複数の開口孔をパンチング状に備えた金属材料で形成される電磁シールド板と、通風部を備え、かつ、前記電磁シールド板を覆うように形成される扉本体とを含んで構成される開閉扉を前記筐体の一側面に開閉可能に備え、前記扉本体は、その前面に、矩形状の基本造形部を上下左右にマトリックス状に連続して配列した平滑面を備え、前記基本造形部は、周囲を４辺で囲む領域内に、この４辺と前後方向の段差をもって形成される１つの頂点部を備えるとともに、この頂点部から前記４辺の中央位置とを結んで区分けされる４つの区分領域を備え、前記通風部は、前記電磁シールド板を露出するように、前記区分領域の１つまたは、前記区分領域を連続させた領域で形成される複数の開口部で構成する。
【発明の効果】
【００１３】
本発明によれば、平面的なデザイン処理でありながら熱の排気性能に優れた外装構造を備えた情報処理装置を提供することができる。
【図面の簡単な説明】
【００１４】
【図１】第１実施例に係る情報処理装置の概略構造図である。
【図２】第１実施例に係る情報処理装置の基本造形部の詳細構造図である。
【図３】第１実施例に係る情報処理装置のフロントパネルの正面図である。
【図４】第１実施例に係る情報処理装置の情報処理装置の正面図である。
【図５】第１実施例に係る情報処理装置の通風部の説明図である。
【図６】第２実施例に係る情報処理装置の基本造形部の詳細構造図である。
【図７】第２実施例に係る情報処理装置のフロントパネルの正面図である。
【図８】第３実施例に係る情報処理装置の基本造形部の詳細構造図である。
【図９】第３実施例に係る情報処理装置のフロントパネルの正面図である。
【図１０】第４実施例に係る情報処理装置の基本造形部の詳細構造図である。
【発明を実施するための形態】
【００１５】
以下、図１〜図１０を参照して、本発明に係る情報処理装置を具体的に説明する。以下の説明では、コンピュータシステム中でネットワーク全体の運転管理を行ったり、大規模な計算処理を行ったりするような中心的な役割を果たす中央処理装置（ホストコンピュータ）を事例にして説明する。しかし、本発明は、これに限定されるものではなく、ネットワーク上で他のコンピュータやソフト、即ちクライアントにサービスを提供するサーバあるいは記憶装置など、その内部に電磁シールドが必要な電子機器を格納する筺体を備えた情報処理装置に適用することができる。
【００１６】
ここで、図１から図５が第１実施例を示し、図６から図７が第２実施例を示し、図８と図９が第３実施例を示し、図１０が第４実施例を示している。なお、同様な部位や矢印などは同一符号をもって示し、重複した説明を省略する。
【実施例１】
【００１７】
図１から図５は、第１実施例に係る情報処理装置を示すものである。図１は、この第１実施例に係る情報処理装置の概略構造図である。図２は基本造形部の詳細構造図である。図３はフロントパネルの正面図である。図４は情報処理装置の正面図である。図５は、通風部の説明図である。
【００１８】
先ず、図１を参照して、この実施例に係る情報処理装置の概略構造を説明する。図１において、この中央処理装置は、大規模な数値シミュレーションを超高速で実行することができ、ベクトル型スーパーコンピュータとしての使い方や並列コンピュータとしての使い方も可能な技術計算用コンピュータであり、その筺体内に中央処理装置の入出力を統括するＩＯ装置や演算処理を実行するＮＯＤＥ装置やＮＯＤＥ装置内に内蔵された複数のノード間を接続して高速ノード間ネットワークを構築し、これらを切り替えるＳＷ装置などを備えている。図１に示す中央処理装置では、１つの筺体内に前記各装置を内蔵した構造としているが、同種の筺体を左右に並べて設置することができる。
【００１９】
この中央処理装置は、実質的に直方体からなる縦長の直方体形状で構成され、外観を金属材料で覆うことで電磁シールド構造を備えている。即ち、この中央処理装置は、金属製の材料で形成される本体筺体１０と、この本体筺体１０の１つの側面に開閉可能に取り付けられる開閉扉２０とを含んで構成される。
【００２０】
本体筺体１０は、その外装を金属製の板材で覆い、その内部は複数の棚１１で上下に仕切られる構造としている。各棚で仕切られる収納部分には、各種装置が機能別に出し入れ可能に格納される。この各装置の出し入れは、本体筺体１０の１側面に形成される開放面１２から行うことができる。この開放面１２には、前記開閉扉２０が図示しないヒンジ機構を介して開閉可能に取り付けられる。
【００２１】
開閉扉２０は、複数の開口孔３１をパンチング状に備えた金属材料で形成される電磁シールド板３０と、通風部２１を備え、かつ、前記電磁シールド板３０を覆うように形成される扉本体４０とを含んで構成される。
【００２２】
この実施例では、電磁シールド板３０は、直径が４０ｍｍ前後の開口孔３１をパンチング状に配列することで、その開口率が40％前後のものを採用しているが、これに限定されるものではなく、通風機能と電磁シールド機能を備えているものであればよい。
【００２３】
また、扉本体４０は、開閉扉２０の強度を維持する扉シャーシ４１と、この扉シャーシ４１に取り付けられる複数のフロントパネル４２とを含んで構成する。扉シャーシ４１は、開閉扉２０の周囲を構成する枠体であり、その内部は補強桟で仕切られた複数の開口部４３を備えている。フロントパネル４２は、この複数の開口部４３を塞ぐように扉シャーシ４１の前面から取り付けられ、電磁シールド板３０は裏面側から取り付けられる。この実施例では、フロントパネル４２を樹脂成型品で形成している。また、扉シャーシ４１は金属材料で形成しているが、開閉扉２０を閉めた状態で、本体筺体１０の開放面１２を電磁シールド板３０で覆う構造とすれば、扉シャーシ４１を樹脂材料で形成することができる。
【００２４】
そして、この実施例の大きな特徴の１つは、フロントパネル４２の前面に、矩形状の基本造形部５０（吹出し内の斜線部）を上下左右にマトリックス状に連続して配列した平滑面４４を備え、前記基本造形部５０は、図２に示すように、周囲を４辺５１（５１ａ、５１ｂ、５１ｃ、５１ｄ）で囲む領域５２内に、この４辺５１と前後方向の段差Ｐ１をもって形成される１つの頂点部５３を備えるとともに、この頂点部５３から前記４辺５１の中央位置Ｑ（Ｑａ、Ｑｂ、Ｑｃ、Ｑｄ）とを結んで区分けされる４つの区分領域５２ａ、５２ｂ、５２ｃ、５２ｄを備え、通風部２１は、電磁シールド板３０を露出するように、区分領域５２ａ、５２ｂ、５２ｃ、５２ｄの１つまたは、この区分領域を連続させた領域で形成される複数の通風開口部４３で構成した点である。
【００２５】
即ち、図１に戻り、この実施例に係る中央処理装置では、高密度実装設計に伴う内部搭載機器の発熱量の増大に対応するために、内部に図示しない排気装置を備えるとともに、開閉扉２０に通風部２１を設け、この通風部２１から吸引した空気で内部搭載機器を冷却し、その排気を図示しない背面の排気部から排気する構造としている。
【００２６】
しかし、オフィス環境に設置される要求が強くなっているこの種の中央処理装置において、利用者の目に触れやすい開閉扉２０に開口率の高い通風部２１を設けるのにはデザイン的な工夫が必要である。
【００２７】
例えば、通風部を凹凸のあるグリル形状とすると、オフィス環境に馴染めないばかりか、奥行き寸法が大きくなる課題がある。また、オフィス環境に馴染ませるために、開閉扉面を一様な平坦面とするパネルに多様な模様の開口孔を形成すると、パネルの強度を維持したまま、通風部の開口率を上げることには限度がある。加えて、この種の情報処理装置では、寸法の異なる製品へのシリーズ展開を図ることが必要なことから、ある程度の規則性を持ったデザイン処理が必要である。
【００２８】
また、オフィス環境に馴染ませるためには筺体の色彩も重要であるが、大きな平坦面は、天井照明がこの平坦面に写り込んでしまう課題が生じるばかりか、この写り込みにより、平坦面の成型時のヒケやウェルドが目立ってしまう課題がある。
【００２９】
しかし、この構造によれば、矩形状の基本造形部５０を上下左右にマトリックス状に連続して配列することで、シリーズ展開可能な規則性とオフィス環境に対応しやすいシンプルな造形処理を備えさせることができる。
【００３０】
また、頂点部５３と４辺の中央位置Ｑとで区切られる４つ一組の区分領域５２ａ、５２ｂ、５２ｃ、５２ｄで１つの基本造形部５０を構成し、その頂点部５３に段差Ｐ１を形成することで、４つの区分領域５２ａ、５２ｂ、５２ｃ、５２ｄが互いに異なる方向へ向かせることができるので、この４つの区分領域５２ａ、５２ｂ、５２ｃ、５２ｄに室内照明が反射すると、１つの筺体色であっても光の反射により多色に変化して見せることができる。しかも、これら４つの区分領域５２ａ、５２ｂ、５２ｃ、５２ｄを備えた基本造形部５０はマトリックス状に広いフロントパネル４２を細かく分割するため、ミラーボールのような装飾効果が期待できるとともに、成型時のヒケやウェルドを目立ち難くすることができる。加えて、基本造形部５０は、頂点部５３と４辺５１との段差Ｐ１により、平坦面を凹凸造形とすることができるので、強度的にも強くすることができる。
【００３１】
そして何より、この実施例によれば、凹凸形状の区分領域５２ａ、５２ｂ、５２ｃ、５２ｄの１つまたは、この区分領域５２ａ、５２ｂ、５２ｃ、５２ｄを連続させた領域で形成される複数の開口部４３を通風部２１とすることにより、フロントパネル４２の造形処理に馴染むように開口率の高い通風部２１を設けることができる。
【００３２】
即ち、この実施例では、立体造形（基本造形部５０）の一部の斜面に開口部４３を形成することができるので、従来の平坦面に単純に通風穴を形成したものより、開口率を高く設定することができる。しかも、開口部４３は、規則性のある区分領域５２ａ、５２ｂ、５２ｃ、５２ｄの組み合わせで形成されるので、多様なパターンが容易に展開できる。加えて、その開口部４３からは、電磁シールド板３０が露出するので、光の反射により１色の色が多色に変化して見える区分領域（５２ａ、５２ｂ、５２ｃ、５２ｄ）の中に異なる表面処理の開口部４３が混ざり合って装飾効果を向上できる。
【００３３】
次に、図２から図５を参照して基本造形部５０を備えた開閉扉２０の具体的な構造を説明する。図２（ａ）はフロントパネル４２の部分拡大図であり、図２（ｂ）は基本造形部５０の説明図である。
【００３４】
図２において、この実施例では、基本造形部５０の横幅Ｘ１を約６８ｍｍ、高さＹ１を約７２ｍｍとする大きさに設定している。ここで、基本造形部５０は上下左右に連続可能な矩形状であればよく、正方形でも長方形でもよい。また、この実施例では、基本造形部５０の四隅の角部Ｒを基準に、４辺の中央位置Ｑを段差Ｐ２をもって前方に張り出し、更に頂点部５３を段差Ｐ１をもって更に前方に突出させた形状としている。即ち、基本造形部５０の四隅の角部Ｒより、４辺の中央位置Ｑが前方に張り出し、更に中央位置Ｑより頂点部５３が前方に張り出して形成される。
【００３５】
この基本造形部５０の形状によれば、４辺５１（５１ａ、５１ｂ、５１ｃ、５１ｄ）は４辺の中央位置Ｑ（Ｑａ、Ｑｂ、Ｑｃ、Ｑｄ）を頂点とする屈曲した形状に形成される。そして、この屈曲した４辺５１が隣り合う他の基本造形部５０と連続する形状となっている。また、４辺の中央位置Ｑ（Ｑａ、Ｑｂ、Ｑｃ、Ｑｄ）と頂点部５３とは、隣り合う区分領域が異なる傾斜面となるために生じる平面の切り返しとなる稜線５４として形成される。
【００３６】
したがって、四隅の角部Ｒと、４辺の中央位置Ｑと、頂点部５３とで形成される４つの区分領域５２ａ、５２ｂ、５２ｃ、５２ｄは、それぞれ頂点部５３から四隅の角部Ｒ側に傾いた傾斜面で形成される。これにより、この４つの区分領域５２ａ、５２ｂ、５２ｃ、５２ｄに照射される照明光は、各傾斜面に反射して互いに異なる方向へ反射することとなる。例えば、図２（ｂ）の斜線部で示す左下の区分領域５２ｃは、斜め左下に傾いた傾斜面を備えている。このため、直進する光は斜め左下に反射される。同様に他の区分領域５２ａは左上に、区分領域５２ｂは右上に、区分領域５２ｄは右下に傾斜しているため、一色の色彩を施したとしても、その４つの傾斜面が異なる色彩で見えて装飾効果を向上することができる。
【００３７】
また、この基本造形部５０は、上下左右に連続して形成されるため、隣り合う区分領域５２は全て異なる傾斜面と隣接することとなるため、前記装飾効果を一層高めることができる。
【００３８】
また、この実施例では、１つの区分領域５２を１単位として、この領域を開口部４３とすることができる。また、この開口部４３は、４辺５１の１つを介して隣り合う他の区分領域５２ａ、５２ｂ、５２ｃ、５２ｄと連続させた開口部４３とすることもできる。例えば、図２（ａ）に示す開口部４３ａは１つの区分領域５２ｃを開口部とするものであり、開口部４３ｂは連続する４個の区分領域５２ａ、５２ｂ、５２ｃ、５２ｄを開口部とするものである。
【００３９】
このように、この実施例では、区画領域５２ａ、５２ｂ、５２ｃ、５２ｄの１つまたは、隣り合う区画領域と連続させて任意の複数の開口部４３を形成することができ、これら複数の開口部４３により多様なパターンの通風部２１を形成することができる。
【００４０】
図３（ａ）には、基本造形部５０の配列を示すフロントパネル４２の正面図を示し、図３（ｂ）には、図３（ａ）のフロントパネル４２に通風部２１を形成した状態のフロントパネル４２の正面を示している。
【００４１】
図３（ａ）から明らかなように、この実施例では、矩形状の基本造形部５０を上下左右にマトリックス状に配列しているものの、そのベースとなる基本造形部５０は更に４分割されている。しかも、分割の最小単位である区分領域５２ａ、５２ｂ、５２ｃ、５２ｄは、隣接同士が互いに異なる傾斜面で形成されるために、細かなマトリックス状の配列を印象付ける。しかも、それらは一色の色彩を施しても、光の反射で異なる色彩に見えるので、あたかも、モザイク模様を印象付ける。しかも、そのモザイク模様は見る角度によって異なるので、装飾効果が向上させることができる。
【００４２】
また、図３（ｂ）に示すように、多様に形成可能な複数の開口部４３からなる通風部２１は、モザイク模様の中に溶け込むように形成することができるので、機能要素である通風部２１を装飾性に富んだものとすることができる。しかも、開口部４３からはパンチング状の電磁シールド板３０が露出するので、平面的なモザイク模様の中に立体的かつ平面的でない模様を混在させることができる。
【００４３】
また、図４には、図３に示すフロントパネル４２を、扉シャーシ４１に取り付けた状態の開閉扉２０を示している。図４から明らかなように、この実施例では、同じフロントパネル４２を上下に配列することで、縦長の開閉扉２０の前面を構成することができる。
【００４４】
この実施例では、フロントパネル４２を上下に４個配列し、その周囲に平坦面を幅広く枠取ることで、開閉扉２０の強度を高めるとともに、１つのまとまりのあるコンパクトな造形としている。しかも、処理能力の異なる情報処理装置に対してはフロントパネル４２の数を少なくすることで対応することができるので、大きさの異なる筺体であってもシリーズ展開が容易である。
【００４５】
さて、図５には、この実施例に係る開口部４３と、平坦面に開口穴を施した従来例の通風部２１の開口率の違いを示している。図５（ａ）が本実施例に係るフロントパネル４２を示し、図５（ｂ）が従来例を示している。図５（ａ）および図５（ｂ）において、左がフロントパネル４２の側面図、中央がフロントパネル４２の端面図、右が区分領域５２を示している。
【００４６】
本実施例と従来例の側面図と端面図から明らかなように、本実施例の区分領域５２は、立体的な傾斜面で構成されているのに対し、従来例は平面に開口部が形成されている。したがって、正面から見て、同じ面積の開口部を形成しても、実質的に開口している開口部の大きさは、本実施例の方が大きくなる。
【００４７】
例えば、正面から見える開口部４３の大きさを、横幅Ｘ２が３３ｍｍ、高さＹ２が３５ｍｍに設定した場合を考えてみる。この場合、図５（ｂ）の従来例は、平面的であるために、そのままの大きさ、即ち開口面積が１１５５平方ミリとなる。しかし、本実施例では、段差Ｐ１（８ｍｍ）があるので、実質的な横幅Ｘ２は３３．９６ｍｍ、高さＹ２は３５．９０ｍｍとなるので、その開口面積は１２１９．１６平方ミリとなり、従来比５．５５パーセントアップとなる。
【００４８】
この従来比は、大きなアップ率ではないが、このアップ率は１個の区分領域５２に対するものである。この実施例では、区分領域５２を多数形成することができるので、そのアップ率が全体では無視できない大きさである。しかも、この開口面積アップの要因は区分領域５２を僅かに傾斜する傾斜面とすることで達成されるので、開閉扉２０の厚さを大きくすることなく達成することができる。
【実施例２】
【００４９】
次に、図６と図７を参照して、この発明に係る第２実施例を詳細に説明する。ここで、図６は、基本造形部５０ａの詳細構造図であり、図６（ａ）はフロントパネル４２の部分拡大図であり、図６（ｂ）は基本造形部５０ａの説明図である。図７はフロントパネル４２の正面図である。なお、第１実施例と同様な部位や矢印などは同一符号をもって示し、重複した説明を省略する。
【００５０】
この第２実施例に係る基本造形部５０ａの特徴は、基本造形部５０ａの領域５２内に形成される頂点部５３をこの基本造形部５０ａの中心位置Ｇ１から外した任意の位置Ｇ２に設けた点にある。
【００５１】
即ち、この実施例でも、フロントパネル４２の前面に、矩形状の基本造形部５０ａを上下左右にマトリックス状に連続して配列した平滑面４４を備え、前記基本造形部５０ａは、周囲を４辺５１（５１ａ、５１ｂ、５１ｃ、５１ｄ）で囲む領域５２内に、この４辺５１と前後方向の段差Ｐ１をもって形成される１つの頂点部５３を備えるとともに、この頂点部５３から前記４辺５１の中央位置Ｑ（Ｑａ、Ｑｂ、Ｑｃ、Ｑｄ）とを結んで区分けされる４つの区分領域５２ａ、５２ｂ、５２ｃ、５２ｄを備え、通風部２１は、電磁シールド板３０を露出するように、区分領域５２ａ、５２ｂ、５２ｃ、５２ｄの１つまたは、区分領域を連続させた領域で形成される複数の通風開口部４３で構成している。
【００５２】
ここで、前記第１実施例では、基本造形部５０の領域内に形成される頂点部５３をこの基本造形部５０の中心位置Ｇ１に設けることで、区分領域５２のレベルでも上下左右に連続するマトリックスの配列になっていた。しかし、この第２実施例の基本造形部５０ａでは、頂点部５３を個々の基本造形部５０ａの中心位置Ｇ１から横幅Ｇ３で、縦幅Ｇ４ずらした任意の位置Ｇ２に設けることで、基本造形部５０ａの配列ではマトリックス状の配列でありながら、区分領域５２のレベルでは異なる大きさの区分領域の配列としている。
【００５３】
また、前記第１実施例では、４辺の中央位置Ｑ（Ｑａ、Ｑｂ、Ｑｃ、Ｑｄ）を段差Ｐ２をもって前方に張り出しているが、この第２実施例では、段差Ｐ２を無くして４辺５１（５１ａ、５１ｂ、５１ｃ、５１ｄ）を直線状としている。そして、４辺の中央位置Ｑ（Ｑａ、Ｑｂ、Ｑｃ、Ｑｄ）と頂点部５３とは、隣り合う区分領域が異なる傾斜面となるために生じる平面の切り替えしとなる稜線５４として形成される。
【００５４】
したがって、この第２実施例でも、四隅の角部Ｒと、４辺の中央位置Ｑと、頂点部５３とで形成される４つの区分領域５２ａ、５２ｂ、５２ｃ、５２ｄは、それぞれ頂点部５３から四隅の角部Ｒ側に傾いた傾斜面で形成される。これにより、前記第１実施例と同様な作用効果を得ることができる。
【００５５】
しかし、この第２実施例では、基本造形部５０ａのそれぞれの頂点部５３を基本造形部５０ａの中心位置からずらした任意の位置に設定しているので、個々の区分領域５２ａ、５２ｂ、５２ｃ、５２ｄは、異なる大きさの領域を備え、かつ、傾斜する方向もそれぞれが異なることとなる。このため、マトリックス状に配列される基本造形部５０ａのレベルでは規則性を持ちながらも、各区分領域５２ａ、５２ｂ、５２ｃ、５２ｄのレベルでは大きさや傾斜角度が異なることで、不規則な異なる形状で、色彩も異なって見えるので、前記第１実施例の作用効果を一層高めることができる。
【００５６】
ただ、個々の区分領域５２ａ、５２ｂ、５２ｃ、５２ｄは、大きさや色彩が異なるとしても、４辺の中央位置Ｑ（Ｑａ、Ｑｂ、Ｑｃ、Ｑｄ）では隣り合う稜線と連続するので、形は崩れているとしても、マトリックス状のイメージを持って配列することができる。
【００５７】
また、この実施例でも、区画領域５２ａ、５２ｂ、５２ｃ、５２ｄの１つまたは、隣り合う区画領域と連続させて任意の複数の開口部４３を形成しているので、形状の異なる複数の開口部４３により多様なパターンの通風部２１を形成することができる。
【００５８】
図７（ａ）には、基本造形部５０ａの配列を示すフロントパネル４２の正面図を示し、図７（ｂ）には、図７（ａ）のフロントパネル４２に通風部２１を形成した状態のフロントパネル４２の正面を示している。
【００５９】
図７（ａ）から明らかなように、この実施例では、矩形状の基本造形部５０ａを上下左右にマトリックス状に配列しているものの、そのベースとなる基本造形部５０ａは更に不規則に４分割されている。しかも、分割の最小単位である区分領域５２ａ、５２ｂ、５２ｃ、５２ｄは、隣接同士が互いに異なる不規則な傾斜角度の傾斜面で形成されるために、基本的には細かなマトリックス状の配列を印象付けるものの、その配列は不規則性をも備えているので、多様な意匠的効果を得ることができる。しかも、それらは一色の色彩を施しても、個々の区分領域５２ａ、５２ｂ、５２ｃ、５２ｄは、隣り合う同士が大きさも異なり、かつ光の反射で異なる色彩に見えるので、あたかも、大きさの異なるモザイク模様を印象付ける。しかも、そのモザイク模様は見る角度によって異なるので、装飾効果が向上させることができる。
【００６０】
また、図７（ｂ）に示すように、この実施例でも、多様に形成可能な複数の開口部４３からなる通風部２１は、大きさや色彩が異なるモザイク模様の中に溶け込むように形成することができるので、機能要素である通風部２１を装飾性に富んだものとすることができる。しかも、開口部４３からはパンチング状の電磁シールド板３０が露出するので、平面的なモザイク模様の中に立体的かつ平面的でない模様を混在させることができる。
【００６１】
なお、この実施例では、基本造形部５０ａの４辺５１を直線状としたが、前記第１実施例と同様に４辺の中央位置Ｑに段差Ｐ２を備えるようにしてもよい。
【実施例３】
【００６２】
次に、図８と図９を参照して、この発明に係る第３実施例を詳細に説明する。ここで、図８は、基本造形部５０ｂの詳細構造図であり、図８（ａ）はフロントパネル４２の部分拡大図であり、図８（ｂ）は基本造形部５０ｂの説明図である。図９はフロントパネル４２の正面図である。なお、前記第１実施例及び第２実施例と同様な部位や矢印などは同一符号をもって示し、重複した説明を省略する。
【００６３】
この第３実施例に係る基本造形部５０ｂの特徴は、基本造形部５０ｂの領域５２内に形成される頂点部５３をこの基本造形部５０ａの中心位置Ｇ１から前方に段差Ｐ１だけ突出させ、その４分割される区分領域５２ａ、５２ｂ、５２ｃ、５２ｄを凹状の湾曲面に形成した点にある。
【００６４】
即ち、この実施例でも、フロントパネル４２の前面に、矩形状の基本造形部５０ｂを上下左右にマトリックス状に連続して配列した平滑面４４を備え、前記基本造形部５０ｂは、周囲を４辺５１（５１ａ、５１ｂ、５１ｃ、５１ｄ）で囲む領域５２内に、この４辺５１と前後方向の段差Ｐ１をもって形成される１つの頂点部５３を備えるとともに、この頂点部５３から前記４辺５１の中央位置Ｑ（Ｑａ、Ｑｂ、Ｑｃ、Ｑｄ）とを結んで区分けされる４つの区分領域５２ａ、５２ｂ、５２ｃ、５２ｄを備え、この区分領域５２ａ、５２ｂ、５２ｃ、５２ｄは凹状の湾曲面を備え、通風部２１は、電磁シールド板３０を露出するように、区分領域５２ａ、５２ｂ、５２ｃ、５２ｄの１つまたは、区分領域を連続させた領域で形成される複数の通風開口部４３で構成している。
【００６５】
ここで、前記第１実施例及び第２実施例では、基本造形部５０および５０ａを構成する４つの区分領域５２ａ、５２ｂ、５２ｃ、５２ｄは平坦面を基本としていたが、この実施例では、凹状の湾曲面で形成する。即ち、この実施例では、隣り合う４辺の中央位置Ｑを結んで菱形の稜線５５を形成し、この外側を平坦面とし、その内側を頂点部５３に向かって凹状に湾曲する湾曲面を形成する。ここで、４辺５１は直線状とする。
【００６６】
この実施例によれば、基本造形部５０ｂの四隅は平坦面で形成されるため、照明光が当たると、同じような光の反射をする。一方、基本造形部５０ｂの内側の菱形部分は、四方に向いた徐々に変化する４つの湾曲面となっているので、照明光が当たると、４つの方向で照明光が徐々に変化する。このため、前記第１実施例や第２実施例の作用効果に加えて、個々の区分領域５２ａ、５２ｂ、５２ｃ、５２ｄは、その領域自体がグラデーション効果の有る装飾効果を得ることができる。
【００６７】
また、この実施例でも、区画領域５２ａ、５２ｂ、５２ｃ、５２ｄの１つまたは、隣り合う区画領域と連続させて任意の複数の開口部４３を形成しているので、形状の異なる複数の開口部４３により多様なパターンの通風部２１を形成することができる。
【００６８】
図９（ａ）には、基本造形部５０ｂの配列を示すフロントパネル４２の正面図を示し、図９（ｂ）には、図９（ａ）のフロントパネル４２に通風部２１を形成した状態のフロントパネル４２の正面を示している。
【００６９】
図９（ａ）から明らかなように、この実施例では、矩形状の基本造形部５０ｂを上下左右にマトリックス状に配列しているものの、そのベースとなる基本造形部５０ｂは更に４分割されている。しかも、分割の最小単位である区分領域５２ａ、５２ｂ、５２ｃ、５２ｄは、平坦面同士が連続して形成する十字分割された菱形の平坦部５５（斜線部で図示）と、立体的に形成される前方に突出した菱形部分５６（斜線部で図示）との組み合わせを構成する。これにより、分割面では矩形部のマトリックス配列としながらも、色彩面では菱形のマトリックス配列を構成することができる。
【００７０】
また、図９（ｂ）に示すように、この実施例でも、多様に形成可能な複数の開口部４３からなる通風部２１は、大きさや色彩が異なるモザイク模様の中に溶け込むように形成することができるので、機能要素である通風部２１を装飾性に富んだものとすることができる。しかも、開口部４３からはパンチング状の電磁シールド板３０が露出するので、平面的なモザイク模様の中に立体的かつ平面的でない模様を混在させることができる。
【００７１】
なお、この実施例では、基本造形部５０ｂの４辺５１を直線状としたが、前記第１実施例と同様に４辺の中央位置Ｑに段差Ｐ２を備えるようにしてもよい。また、前記第２実施例のように、頂点部５３を基本造形部５０ｂの中心位置からずらして設けるようにしてもよい。
【実施例４】
【００７２】
次に、図１０を参照して、この発明に係る第４実施例を詳細に説明する。ここで、図１０は、基本造形部５０ｃの詳細構造図である。なお、前記第１実施例から第３実施例と同様な部位や矢印などは同一符号もって示す重複した説明を省略する。
【００７３】
この第４実施例に係る基本造形部５０ｃの特徴は、基本造形部５０ｃの領域５２内に形成される頂点部５３をこの基本造形部５０ａの中心位置Ｇ１から後方に段差Ｐ３だけ凹状に形成した点にある。
【００７４】
即ち、前記第１実施例から第３実施例の基本造形部では、頂点部５３を前方に張り出す形状としたが、この第３実施例に係る基本造形部５０ｃは、基本造形部５０の領域５２を凹状とするように、頂点部５３を四隅の角部Ｒより段差Ｐ３だけ後方に設けるようにする。この実施例でも、区分領域５２ａ、５２ｂ、５２ｃ、５２ｄは異なる方向（中央方向）に向いた傾斜面となるので、前記第１実施例から第３実施例と同様な効果を得ることができる。
【００７５】
なお、この第４実施例では、前記第１実施例の形状で頂点部５３を凹状としたが、前記第２実施例および第３実施例の形状で頂点部５３を凹状としてもよい。
【符号の説明】
【００７６】
１０…本体筺体、１１…棚、１２…開放面、２０…開閉扉、２１…通風部、３０…電磁シールド板、３１…開口孔、４０…扉本体、４１…扉シャーシ、４２…フロントパネル、４３…開口部、４４…平滑面、５０…基本造形部、５１（５１ａ、５１ｂ、５１ｃ、５１ｄ）…４辺、５２…領域、５２ａ、５２ｂ、５２ｃ、５２ｄ…区分領域、５３…頂点部、５４…稜線、５５…菱形の平坦部、５６…突出した菱形部分、Ｑ（Ｑａ、Ｑｂ、Ｑｃ、Ｑｄ）…４辺の中央位置、Ｐ１、Ｐ２…段差、Ｒ…四隅の角部。
【図１】
2010231683.tif 000003
【図２】
2010231683.tif 000004
【図３】
2010231683.tif 000005
【図４】
2010231683.tif 000006
【図５】
2010231683.tif 000007
【図６】
2010231683.tif 000008
【図７】
2010231683.tif 000009
【図８】
2010231683.tif 000010
【図９】
2010231683.tif 000011
【図１０】
2010231683.tif 000012